(57)【要約】【課題】股関節画像のＡＨＩの計測における操作性を向上させるとともに、誤診を防止する。【解決手段】股関節部を人体の前面側から撮影した股関節画像をモニタ画面に表示させ、股関節画像の左右の涙痕下端を通る基準補助線と、右大腿骨頭外側端、右臼蓋縁外側端、右大腿骨頭内側端、左大腿骨頭内側端、左臼蓋縁外側端、左大腿骨頭外側端のそれぞれを通り基準補助線に垂直な垂直補助線とを描画する。画像座標系において、基準補助線の人体の右側に相当する端点を通り、基準補助線に垂直な直線Ｌの式を取得し（ステップＳ３１）、各垂直補助線の基準補助線上の各点の座標を取得する（ステップＳ３２）。各座標に基づいて、直線Ｌからの距離が小さい順に右大腿骨頭外側端、右臼蓋縁外側端、右大腿骨頭内側端、左大腿骨頭内側端、左臼蓋縁外側端、左大腿骨頭外側端を示す垂直補助線であると対応付ける（ステップＳ３３）。【選択図】図７
2009219766.tif 000002
【特許請求の範囲】
【請求項１】
股関節部を人体の前面側から撮影した股関節画像を表示手段のモニタ画面に表示させ、当該表示された股関節画像からＡＨＩを計測する画像計測装置であって、
前記モニタ画面に表示された股関節画像においてＡＨＩ計測用の補助線を描画する位置を指定するための操作手段と、
前記操作手段からの操作に基づいて、前記モニタ画面に表示された股関節画像上に左右の涙痕下端を通る基準補助線、右大腿骨頭外側端を通り前記基準補助線に垂直な垂直補助線、右臼蓋縁外側端を通り前記基準補助線に垂直な垂直補助線、右大腿骨頭内側端を通り前記基準補助線に垂直な垂直補助線、左大腿骨頭内側端を通り前記基準補助線に垂直な垂直補助線、左臼蓋縁外側端を通り前記基準補助線に垂直な垂直補助線、及び、左大腿骨頭外側端を通り前記基準補助線に垂直な垂直補助線を描画する描画手段と、
前記描画された各垂直補助線の前記基準補助線に沿う方向における順序に基づいて、前記各垂直補助線が前記右大腿骨頭外側端、前記右臼蓋縁外側端、前記右大腿骨頭内側端、前記左大腿骨頭内側端、前記左臼蓋縁外側端、前記左大腿骨頭外側端のいずれを示すものかを対応付け、前記右大腿骨頭外側端を示す垂直補助線と前記右大腿骨頭内側端を示す垂直補助線との距離に対する前記右臼蓋縁外側端を示す垂直補助線と前記右大腿骨頭内側端を示す垂直補助線との距離の割合を右ＡＨＩとして計測し、前記左大腿骨頭外側端を示す垂直補助線と前記左大腿骨頭内側端を示す垂直補助線との距離に対する前記左臼蓋縁外側端を示す垂直補助線と前記左大腿骨頭内側端を示す垂直補助線との距離の割合を左ＡＨＩとして計測する計測手段と、
を備える画像計測装置。
【請求項２】
前記描画された各垂直補助線のうちいずれか一の垂直補助線が移動された場合に、当該移動後の各垂直補助線の前記基準補助線に沿う方向における順序に基づいて、前記各垂直補助線が前記右大腿骨頭外側端、前記右臼蓋縁外側端、前記右大腿骨頭内側端、前記左大腿骨頭内側端、前記左臼蓋縁外側端、前記左大腿骨頭外側端のいずれを示すものかを対応付け、前記右大腿骨頭外側端を示す垂直補助線と前記右大腿骨頭内側端を示す垂直補助線との距離に対する前記右臼蓋縁外側端を示す垂直補助線と前記右大腿骨頭内側端を示す垂直補助線との距離の割合を右ＡＨＩとして再計測し、前記左大腿骨頭外側端を示す垂直補助線と前記左大腿骨頭内側端を示す垂直補助線との距離に対する前記左臼蓋縁外側端を示す垂直補助線と前記左大腿骨頭内側端を示す垂直補助線との距離の割合を左ＡＨＩとして再計測する再計測手段を更に備える、
請求項１に記載の画像計測装置。
【請求項３】
股関節部を人体の前面側から撮影した股関節画像を保存する画像サーバ装置と、当該画像サーバ装置から取得した股関節画像を表示手段のモニタ画面に表示させ、当該表示された股関節画像からＡＨＩを計測する画像計測装置とが通信ネットワークを介してデータ通信可能に接続された医用画像システムであって、
前記画像計測装置は、
前記モニタ画面に表示された股関節画像においてＡＨＩ計測用の補助線を描画する位置を指定するための操作手段と、
前記操作手段からの操作に基づいて、前記モニタ画面に表示された股関節画像上に左右の涙痕下端を通る基準補助線、右大腿骨頭外側端を通り前記基準補助線に垂直な垂直補助線、右臼蓋縁外側端を通り前記基準補助線に垂直な垂直補助線、右大腿骨頭内側端を通り前記基準補助線に垂直な垂直補助線、左大腿骨頭内側端を通り前記基準補助線に垂直な垂直補助線、左臼蓋縁外側端を通り前記基準補助線に垂直な垂直補助線、及び、左大腿骨頭外側端を通り前記基準補助線に垂直な垂直補助線を描画する描画手段と、
前記描画された各垂直補助線の前記基準補助線に沿う方向における順序に基づいて、前記各垂直補助線が前記右大腿骨頭外側端、前記右臼蓋縁外側端、前記右大腿骨頭内側端、前記左大腿骨頭内側端、前記左臼蓋縁外側端、前記左大腿骨頭外側端のいずれを示すものかを対応付け、前記右大腿骨頭外側端を示す垂直補助線と前記右大腿骨頭内側端を示す垂直補助線との距離に対する前記右臼蓋縁外側端を示す垂直補助線と前記右大腿骨頭内側端を示す垂直補助線との距離の割合を右ＡＨＩとして計測し、前記左大腿骨頭外側端を示す垂直補助線と前記左大腿骨頭内側端を示す垂直補助線との距離に対する前記左臼蓋縁外側端を示す垂直補助線と前記左大腿骨頭内側端を示す垂直補助線との距離の割合を左ＡＨＩとして計測する計測手段と、
を備える医用画像システム。
【請求項４】
股関節部を人体の前面側から撮影した股関節画像を表示手段のモニタ画面に表示させ、当該表示された股関節画像からＡＨＩを計測するコンピュータを、
前記モニタ画面に表示された股関節画像においてＡＨＩ計測用の補助線を描画する位置を指定するための操作手段、
前記操作手段からの操作に基づいて、前記モニタ画面に表示された股関節画像上に左右の涙痕下端を通る基準補助線、右大腿骨頭外側端を通り前記基準補助線に垂直な垂直補助線、右臼蓋縁外側端を通り前記基準補助線に垂直な垂直補助線、右大腿骨頭内側端を通り前記基準補助線に垂直な垂直補助線、左大腿骨頭内側端を通り前記基準補助線に垂直な垂直補助線、左臼蓋縁外側端を通り前記基準補助線に垂直な垂直補助線、及び、左大腿骨頭外側端を通り前記基準補助線に垂直な垂直補助線を描画する描画手段、
前記描画された各垂直補助線の前記基準補助線に沿う方向における順序に基づいて、前記各垂直補助線が前記右大腿骨頭外側端、前記右臼蓋縁外側端、前記右大腿骨頭内側端、前記左大腿骨頭内側端、前記左臼蓋縁外側端、前記左大腿骨頭外側端のいずれを示すものかを対応付け、前記右大腿骨頭外側端を示す垂直補助線と前記右大腿骨頭内側端を示す垂直補助線との距離に対する前記右臼蓋縁外側端を示す垂直補助線と前記右大腿骨頭内側端を示す垂直補助線との距離の割合を右ＡＨＩとして計測し、前記左大腿骨頭外側端を示す垂直補助線と前記左大腿骨頭内側端を示す垂直補助線との距離に対する前記左臼蓋縁外側端を示す垂直補助線と前記左大腿骨頭内側端を示す垂直補助線との距離の割合を左ＡＨＩとして計測する計測手段、
として機能させるためのプログラム。
【発明の詳細な説明】
【技術分野】
【０００１】
本発明は、画像計測装置、医用画像システム及びプログラムに関する。
【背景技術】
【０００２】
従来、整形外科等の医療分野の診断において、Ｘ線等の放射線により患者を撮影した画像が用いられている。医師は、フィルムに出力した放射線画像を観察読影するとともに、診断に用いる数値や角度を得るために放射線画像上に計測すべき位置を赤鉛筆等でマーキングし、定規や分度器等の計測器具を用いてマーキングされた位置の距離や角度等を計測する。
【０００３】
近年、医療分野においてもデジタル化が進み、病院内で生成される放射線画像は、ほとんどがデジタル画像としてワークステーション又はＰＡＣＳ（Picture Archiving and Communication System）で保存されている。デジタル画像の場合、画像をモニタ画面上に表示させ、この画面上で計測に用いる線（以下、補助線という。）を手動又は自動で指定することによって、距離や角度等の計測を自動化したり、一度引いた補助線を移動したりすることができるため、医師や放射線技師等の計測に要する負担を大幅に軽減させることが可能となった。
【０００４】
例えば、変形性股関節症（臼蓋形成不全）の診断には、ＡＨＩ（Acetabular head index）が用いられる。変形性股関節症の症状として、股関節痛、運動痛、可動域制限、歩行障害等の日常生活動作の障害が挙げられる。ＡＨＩは、大腿骨頭横径に対する大腿骨頭内側端から臼蓋縁外側端までの距離の割合（％）をいう。成人の正常値は８０％前後（男性平均：８２．１％、女性平均８０．６％）であり、６５％以下では股関節症に進行しやすい。
【０００５】
図１１に、左右の股関節部を人体の前面側からＸ線撮影した股関節画像の例を示す。図１１において左側が人体の右側に相当し、図１１において右側が人体の左側に相当し、図１１において上側が人体の頭側Ｈに相当する。ＡＨＩを計測する際には、まず、股関節画像をモニタ画面に表示させ、モニタ画面上で右涙痕下端５１と左涙痕下端５２とを通る基準補助線Ｌ１、右大腿骨頭外側端５３を通り基準補助線Ｌ１に垂直な垂直補助線Ｌ２、右臼蓋縁外側端５４を通り基準補助線Ｌ１に垂直な垂直補助線Ｌ３、右大腿骨頭内側端５５を通り基準補助線Ｌ１に垂直な垂直補助線Ｌ４、左大腿骨頭外側端５６を通り基準補助線Ｌ１に垂直な垂直補助線Ｌ５、左臼蓋縁外側端５７を通り基準補助線Ｌ１に垂直な垂直補助線Ｌ６、左大腿骨頭内側端５８を通り基準補助線Ｌ１に垂直な垂直補助線Ｌ７を引く。
【０００６】
垂直補助線Ｌ２と垂直補助線Ｌ４との距離（右大腿骨頭５９の横径）をｅ、垂直補助線Ｌ３と垂直補助線Ｌ４との距離をｆとすると、
右ＡＨＩ＝（ｆ／ｅ）×１００（％）
であり、垂直補助線Ｌ５と垂直補助線Ｌ７との距離（左大腿骨頭６０の横径）をｇ、垂直補助線Ｌ６と垂直補助線Ｌ７との距離をｉとすると、
左ＡＨＩ＝（ｉ／ｇ）×１００（％）
である。
【０００７】
また、医用画像から診断に用いるための特徴を示す角度を計測する場合には、角度を形成する２直線の位置を指定する必要がある。描画した２直線の位置を後から調整する際に、一対（ペア）でのみ調整を許可することとすると、一方の直線だけを引き直したり、移動させたりすることができない。そこで、表示部に表示された医用画像上に複数の直線を描画し、描画した２本の直線間の角度を計測する画像計測装置において、描画された各直線を独立して変更・編集・削除することができる技術が提案されている（特許文献１参照）。
【特許文献１】特開２００６−１９２１０４号公報
【発明の開示】
【発明が解決しようとする課題】
【０００８】
しかし、上述したように、モニタ画面上では、描画した補助線を容易に移動させることができるため、股関節画像からＡＨＩを計測するために引いた各垂直補助線の位置関係が変わるような移動を行った場合に、垂直補助線と計測対象との対応関係、すなわち、計測されたＡＨＩがいずれの垂直補助線に基づいて算出されたものかを認識することが困難となる場合があった。その一例を図１２に示す。なお、同図の説明において、各部の名称と符号は、図１１を参照されたい。
【０００９】
図１２（ａ）に示すように、モニタ画面上に、右涙痕下端５１と左涙痕下端５２とを通る基準補助線Ｌ１１、右大腿骨頭外側端５３を通り基準補助線Ｌ１１に垂直な垂直補助線Ｌ１２、右臼蓋縁外側端５４を通り基準補助線Ｌ１１に垂直な垂直補助線Ｌ１３、右大腿骨頭内側端５５を通り基準補助線Ｌ１１に垂直な垂直補助線Ｌ１４、左大腿骨頭外側端５６を通り基準補助線Ｌ１１に垂直な垂直補助線Ｌ１５、左臼蓋縁外側端５７を通り基準補助線Ｌ１１に垂直な垂直補助線Ｌ１６、左大腿骨頭内側端５８を通り基準補助線Ｌ１１に垂直な垂直補助線Ｌ１７が描画された場合には、垂直補助線Ｌ１２と垂直補助線Ｌ１４との距離に対する垂直補助線Ｌ１３と垂直補助線Ｌ１４との距離の割合（％）が右ＡＨＩとして計測され、垂直補助線Ｌ１５と垂直補助線Ｌ１７との距離に対する垂直補助線Ｌ１６と垂直補助線Ｌ１７との距離の割合（％）が左ＡＨＩとして計測される。
【００１０】
その後、図１２（ｂ）に示すように、垂直補助線Ｌ１５を垂直補助線Ｌ１６，Ｌ１７より左側の領域へ移動した場合、垂直補助線と計測対象との対応関係は変わらないため、左ＡＨＩとして計測されるのは、垂直補助線Ｌ１５と垂直補助線Ｌ１７との距離に対する垂直補助線Ｌ１６と垂直補助線Ｌ１７との距離の割合（％）である。ところが、ユーザは、見た目上の並び順で判断するため、左ＡＨＩとして計測された値が垂直補助線Ｌ１６と垂直補助線Ｌ１５との距離に対する垂直補助線Ｌ１７と垂直補助線Ｌ１５との距離の割合（％）を示していると誤認し、診断を誤るおそれがあった。
【００１１】
本発明は、上記の従来技術における問題に鑑みてなされたものであって、股関節画像のＡＨＩの計測における操作性を向上させるとともに、誤診を防止することを課題とする。
【課題を解決するための手段】
【００１２】
上記課題を解決するために、請求項１に記載の発明は、股関節部を人体の前面側から撮影した股関節画像を表示手段のモニタ画面に表示させ、当該表示された股関節画像からＡＨＩを計測する画像計測装置であって、前記モニタ画面に表示された股関節画像においてＡＨＩ計測用の補助線を描画する位置を指定するための操作手段と、前記操作手段からの操作に基づいて、前記モニタ画面に表示された股関節画像上に左右の涙痕下端を通る基準補助線、右大腿骨頭外側端を通り前記基準補助線に垂直な垂直補助線、右臼蓋縁外側端を通り前記基準補助線に垂直な垂直補助線、右大腿骨頭内側端を通り前記基準補助線に垂直な垂直補助線、左大腿骨頭内側端を通り前記基準補助線に垂直な垂直補助線、左臼蓋縁外側端を通り前記基準補助線に垂直な垂直補助線、及び、左大腿骨頭外側端を通り前記基準補助線に垂直な垂直補助線を描画する描画手段と、前記描画された各垂直補助線の前記基準補助線に沿う方向における順序に基づいて、前記各垂直補助線が前記右大腿骨頭外側端、前記右臼蓋縁外側端、前記右大腿骨頭内側端、前記左大腿骨頭内側端、前記左臼蓋縁外側端、前記左大腿骨頭外側端のいずれを示すものかを対応付け、前記右大腿骨頭外側端を示す垂直補助線と前記右大腿骨頭内側端を示す垂直補助線との距離に対する前記右臼蓋縁外側端を示す垂直補助線と前記右大腿骨頭内側端を示す垂直補助線との距離の割合を右ＡＨＩとして計測し、前記左大腿骨頭外側端を示す垂直補助線と前記左大腿骨頭内側端を示す垂直補助線との距離に対する前記左臼蓋縁外側端を示す垂直補助線と前記左大腿骨頭内側端を示す垂直補助線との距離の割合を左ＡＨＩとして計測する計測手段と、を備える。
【００１３】
請求項２に記載の発明は、請求項１に記載の画像計測装置において、前記描画された各垂直補助線のうちいずれか一の垂直補助線が移動された場合に、当該移動後の各垂直補助線の前記基準補助線に沿う方向における順序に基づいて、前記各垂直補助線が前記右大腿骨頭外側端、前記右臼蓋縁外側端、前記右大腿骨頭内側端、前記左大腿骨頭内側端、前記左臼蓋縁外側端、前記左大腿骨頭外側端のいずれを示すものかを対応付け、前記右大腿骨頭外側端を示す垂直補助線と前記右大腿骨頭内側端を示す垂直補助線との距離に対する前記右臼蓋縁外側端を示す垂直補助線と前記右大腿骨頭内側端を示す垂直補助線との距離の割合を右ＡＨＩとして再計測し、前記左大腿骨頭外側端を示す垂直補助線と前記左大腿骨頭内側端を示す垂直補助線との距離に対する前記左臼蓋縁外側端を示す垂直補助線と前記左大腿骨頭内側端を示す垂直補助線との距離の割合を左ＡＨＩとして再計測する再計測手段を更に備える。
【００１４】
請求項３に記載の発明は、股関節部を人体の前面側から撮影した股関節画像を保存する画像サーバ装置と、当該画像サーバ装置から取得した股関節画像を表示手段のモニタ画面に表示させ、当該表示された股関節画像からＡＨＩを計測する画像計測装置とが通信ネットワークを介してデータ通信可能に接続された医用画像システムであって、前記画像計測装置は、前記モニタ画面に表示された股関節画像においてＡＨＩ計測用の補助線を描画する位置を指定するための操作手段と、前記操作手段からの操作に基づいて、前記モニタ画面に表示された股関節画像上に左右の涙痕下端を通る基準補助線、右大腿骨頭外側端を通り前記基準補助線に垂直な垂直補助線、右臼蓋縁外側端を通り前記基準補助線に垂直な垂直補助線、右大腿骨頭内側端を通り前記基準補助線に垂直な垂直補助線、左大腿骨頭内側端を通り前記基準補助線に垂直な垂直補助線、左臼蓋縁外側端を通り前記基準補助線に垂直な垂直補助線、及び、左大腿骨頭外側端を通り前記基準補助線に垂直な垂直補助線を描画する描画手段と、前記描画された各垂直補助線の前記基準補助線に沿う方向における順序に基づいて、前記各垂直補助線が前記右大腿骨頭外側端、前記右臼蓋縁外側端、前記右大腿骨頭内側端、前記左大腿骨頭内側端、前記左臼蓋縁外側端、前記左大腿骨頭外側端のいずれを示すものかを対応付け、前記右大腿骨頭外側端を示す垂直補助線と前記右大腿骨頭内側端を示す垂直補助線との距離に対する前記右臼蓋縁外側端を示す垂直補助線と前記右大腿骨頭内側端を示す垂直補助線との距離の割合を右ＡＨＩとして計測し、前記左大腿骨頭外側端を示す垂直補助線と前記左大腿骨頭内側端を示す垂直補助線との距離に対する前記左臼蓋縁外側端を示す垂直補助線と前記左大腿骨頭内側端を示す垂直補助線との距離の割合を左ＡＨＩとして計測する計測手段と、を備える。
【００１５】
請求項４に記載の発明は、股関節部を人体の前面側から撮影した股関節画像を表示手段のモニタ画面に表示させ、当該表示された股関節画像からＡＨＩを計測するコンピュータを、前記モニタ画面に表示された股関節画像においてＡＨＩ計測用の補助線を描画する位置を指定するための操作手段、前記操作手段からの操作に基づいて、前記モニタ画面に表示された股関節画像上に左右の涙痕下端を通る基準補助線、右大腿骨頭外側端を通り前記基準補助線に垂直な垂直補助線、右臼蓋縁外側端を通り前記基準補助線に垂直な垂直補助線、右大腿骨頭内側端を通り前記基準補助線に垂直な垂直補助線、左大腿骨頭内側端を通り前記基準補助線に垂直な垂直補助線、左臼蓋縁外側端を通り前記基準補助線に垂直な垂直補助線、及び、左大腿骨頭外側端を通り前記基準補助線に垂直な垂直補助線を描画する描画手段、前記描画された各垂直補助線の前記基準補助線に沿う方向における順序に基づいて、前記各垂直補助線が前記右大腿骨頭外側端、前記右臼蓋縁外側端、前記右大腿骨頭内側端、前記左大腿骨頭内側端、前記左臼蓋縁外側端、前記左大腿骨頭外側端のいずれを示すものかを対応付け、前記右大腿骨頭外側端を示す垂直補助線と前記右大腿骨頭内側端を示す垂直補助線との距離に対する前記右臼蓋縁外側端を示す垂直補助線と前記右大腿骨頭内側端を示す垂直補助線との距離の割合を右ＡＨＩとして計測し、前記左大腿骨頭外側端を示す垂直補助線と前記左大腿骨頭内側端を示す垂直補助線との距離に対する前記左臼蓋縁外側端を示す垂直補助線と前記左大腿骨頭内側端を示す垂直補助線との距離の割合を左ＡＨＩとして計測する計測手段、として機能させるためのプログラムである。
【発明の効果】
【００１６】
請求項１、３、４に記載の発明によれば、各垂直補助線を描画する際に描画順を気にする必要がないため、股関節画像のＡＨＩの計測における操作性を向上させるとともに、誤診を防止することができる。
【００１７】
請求項２に記載の発明によれば、各垂直補助線のうちいずれか一の垂直補助線が移動された場合に、各垂直補助線と部位の対応付けをし直し、ＡＨＩを再計測することができる。
【発明を実施するための最良の形態】
【００１８】
以下、図面を参照して、本発明に係る医用画像システムの一実施形態について説明する。
【００１９】
図１に、医用画像システム１００のシステム構成を示す。図１に示すように、医用画像システム１００では、ＲＩＳ（Radiological Information System：放射線情報システム）１０、モダリティ２０、画像サーバ装置３０及び画像計測装置４０が、ネットワークＮを介してデータ通信可能に接続されている。
【００２０】
ＲＩＳ１０は、放射線科部門内における診療予約、診断結果のレポート、実績管理、材料在庫管理等の情報管理を行う。ＲＩＳ１０は、撮影や診断の内容を示す検査オーダ情報を生成し、モダリティ２０に送信する。
【００２１】
モダリティ２０は、ＲＩＳ１０から送信された検査オーダ情報に基づいて、患者を撮影し、医用画像の画像データを生成する画像生成装置である。モダリティ２０は、画像データを画像サーバ装置３０に送信する。モダリティ２０としては、ＣＲ（Computed Radiography）装置、ＣＴ（Computed Tomography）装置、ＭＲＩ（Magnetic Resonance Imaging）装置等が用いられる。
【００２２】
画像サーバ装置３０は、ＰＡＣＳにより構成され、モダリティ２０から受信した医用画像の画像データのファイルを保存し、画像計測装置４０等の外部機器からの要求に応じて画像ファイルを提供する。
【００２３】
図２に、画像サーバ装置３０の機能的構成を示す。図２に示すように、画像サーバ装置３０は、制御部３１、操作部３２、表示部３３、通信部３４、ＲＯＭ（Read Only Memory）３５、記憶部３６を備えて構成され、各部はバス３７により接続されている。
【００２４】
制御部３１は、ＣＰＵ（Central Processing Unit）、ＲＡＭ（Random Access Memory）等から構成され、画像サーバ装置３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。
【００２５】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００２６】
表示部３３は、ＬＣＤ（Liquid Crystal Display）により構成され、制御部３１から入力される表示データに基づいて各種画面を表示する。
【００２７】
通信部３４は、ＲＩＳ１０、モダリティ２０、画像計測装置４０等の外部機器との間でデータの送受信を行うインターフェースである。
【００２８】
ＲＯＭ３５は、不揮発性の半導体メモリ等により構成され、制御プログラム、当該プログラムの実行に必要なパラメータやファイル等を記憶している。
【００２９】
記憶部３６は、ハードディスク等により構成され、各種データを記憶する。具体的には、記憶部３６には、画像ファイル、関連情報等が記憶される。画像ファイルは、モダリティ２０から受信した医用画像の画像データのファイルである。記憶部３６には、例えば、股関節部を人体の前面側から撮影した股関節画像の画像ファイルが保存されている。関連情報は、画像ファイルの画像に関連する情報をいい、各画像ファイルに対応付けられている。関連情報には、患者情報、検査情報等が含まれ、股関節画像の場合には、ＡＨＩの計測結果も含まれる。以下の説明において、各部の名称及び符号は、図１１を援用して説明する。右ＡＨＩは、右大腿骨頭５９の横径に対する右大腿骨頭内側端５５から右臼蓋縁外側端５４までの距離の割合（％）であり、左ＡＨＩは、左大腿骨頭６０の横径に対する左大腿骨頭内側端５８から左臼蓋縁外側端５７までの距離の割合（％）である。
【００３０】
制御部３１は、画像計測装置４０から画像ファイルの取得要求があった場合に、要求された画像ファイルを記憶部３６から読み出し、画像計測装置４０に送信する。また、制御部３１は、画像計測装置４０から計測結果を受信した場合に、受信した計測結果を、計測対象の画像ファイルと対応付けて記憶部３６に保存する。
【００３１】
画像計測装置４０は、画像サーバ装置３０から取得した医用画像を表示させ、当該医用画像の診断に用いる数値や角度を計測するための装置であって、ＰＣ（Personal Computer）等から構成される。例えば、画像計測装置４０は、股関節画像においては、変形性股関節症（臼蓋形成不全）の診断に用いるＡＨＩの計測を行う。
【００３２】
図３に、画像計測装置４０の機能的構成を示す。図３に示すように、画像計測装置４０は、制御部４１、操作部４２、表示部４３、通信部４４、ＲＯＭ４５、記憶部４６を備え、各部はバス４７により接続されている。
【００３３】
制御部４１は、ＣＰＵ、ＲＡＭ等から構成され、画像計測装置４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００３４】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。操作部４２は、表示部４３のモニタ画面４３Ｐに表示された股関節画像においてＡＨＩ計測用の補助線（基準補助線Ｌ１及び垂直補助線Ｌ２〜Ｌ７。図１１参照。）を描画する位置を指定する際に用いられる。
【００３５】
表示部４３は、ＬＣＤにより構成され、制御部４１から入力される表示データに基づいて各種画面を表示する。具体的には、表示部４３は、股関節画像等の医用画像を表示する。
【００３６】
通信部４４は、画像サーバ装置３０等の外部機器との間でデータの送受信を行うインターフェースである。
【００３７】
ＲＯＭ４５は、不揮発性の半導体メモリ等により構成され、制御プログラム、当該プログラムの実行に必要なパラメータやファイル等を記憶している。
【００３８】
記憶部４６は、ハードディスク等により構成され、各種データを記憶する。
【００３９】
制御部４１は、通信部４４を介して、画像サーバ装置３０に対して、記憶部３６に記憶されている医用画像の画像ファイルの取得要求を送信し、画像サーバ装置３０から医用画像の画像ファイルを取得する。制御部４１は、取得した医用画像の画像ファイルに基づいて、表示部４３のモニタ画面４３Ｐに医用画像を表示させる。本実施の形態では、股関節画像の画像ファイルを取得し、表示部４３のモニタ画面４３Ｐに股関節画像を表示させる場合について説明する。
【００４０】
制御部４１は、操作部４２のマウスからの操作に基づいて、表示部４３のモニタ画面４３Ｐに表示された股関節画像上に右涙痕下端５１と左涙痕下端５２とを通る基準補助線Ｌ１、右大腿骨頭外側端５３を通り基準補助線Ｌ１に垂直な垂直補助線Ｌ２、右臼蓋縁外側端５４を通り基準補助線Ｌ１に垂直な垂直補助線Ｌ３、右大腿骨頭内側端５５を通り基準補助線Ｌ１に垂直な垂直補助線Ｌ４、左大腿骨頭内側端５８を通り基準補助線Ｌ１に垂直な垂直補助線Ｌ７、左臼蓋縁外側端５７を通り基準補助線Ｌ１に垂直な垂直補助線Ｌ６、及び、左大腿骨頭外側端５６を通り基準補助線Ｌ１に垂直な垂直補助線Ｌ５を描画する。
【００４１】
ここで、描画された各垂直補助線がどの位置を示す垂直補助線であるかを対応付けるまでは、描画順に垂直補助線Ｖ１〜Ｖ６とする。
【００４２】
各補助線を描画する際に、モニタ画面４３Ｐ上で、ユーザは操作部４２から基準補助線Ｌ１の始点（１点目）及び終点（２点目）、各垂直補助線Ｖ１〜Ｖ６の上端（３点目〜８点目）を指定する。各垂直補助線Ｖ１〜Ｖ６は、基準補助線Ｌ１に垂直な線であるため、上端の位置を指定すれば、上端位置から基準補助線Ｌ１に垂線を下ろすことにより、垂直補助線Ｖ１〜Ｖ６を描画することができる。また、各補助線のうち、基準補助線Ｌ１を１番目に描画する必要があるが、各垂直補助線Ｖ１〜Ｖ６の位置を指定する順序は任意である。図４に、表示部４３のモニタ画面４３Ｐにおける座標の取り方（モニタ座標系）を示す。図４に示すように、モニタ座標系では、モニタ画面４３Ｐの右方向をＸ軸の正方向とし、モニタ画面４３Ｐの下方向をＹ軸の正方向とする。
【００４３】
制御部４１は、描画された各垂直補助線Ｖ１〜Ｖ６の画像座標系における位置情報に基づいて、基準補助線Ｌ１に沿う方向で各垂直補助線Ｖ１〜Ｖ６の順序付けを行う。画像座標系とは、画像ファイルに固有の画像上における座標系をいう。具体的には、制御部４１は、基準補助線Ｌ１の人体の右側に相当する端点を通り基準補助線Ｌ１に垂直な直線Ｌの式（ａｘ＋ｂｙ＋ｃ＝０）を取得し、画像座標系における各垂直補助線Ｖ１〜Ｖ６の基準補助線Ｌ１上の各点の座標をそれぞれ取得し、各点の直線Ｌからの距離が小さい順に各垂直補助線Ｖ１〜Ｖ６の順序付けを行う。
【００４４】
なお、本実施の形態では、表示部４３のモニタ画面４３Ｐ上におけるモニタ座標系を（Ｘ，Ｙ）、画像ファイルに固有の画像上における画像座標系を（ｘ，ｙ）として区別する。
【００４５】
制御部４１は、各垂直補助線Ｖ１〜Ｖ６の基準補助線Ｌ１に沿う方向における順序に基づいて、各垂直補助線Ｖ１〜Ｖ６が右大腿骨頭外側端５３、右臼蓋縁外側端５４、右大腿骨頭内側端５５、左大腿骨頭内側端５８、左臼蓋縁外側端５７、左大腿骨頭外側端５６のいずれを示すものかを対応付ける。具体的には、制御部４１は、各垂直補助線Ｖ１〜Ｖ６が順序付けられた順（直線Ｌからの距離が小さい順）に、右大腿骨頭外側端５３、右臼蓋縁外側端５４、右大腿骨頭内側端５５、左大腿骨頭内側端５８、左臼蓋縁外側端５７、左大腿骨頭外側端５６を示す垂直補助線であると対応付ける。
【００４６】
制御部４１は、対応付けられた結果に基づいて、右大腿骨頭外側端５３を示す垂直補助線Ｌ２と右大腿骨頭内側端５５を示す垂直補助線Ｌ４との距離（すなわち、右大腿骨頭５９の横径）に対する右臼蓋縁外側端５４を示す垂直補助線Ｌ３と右大腿骨頭内側端５５を示す垂直補助線Ｌ４との距離の割合（％）を右ＡＨＩとして計測し、左大腿骨頭外側端５６を示す垂直補助線Ｌ５と左大腿骨頭内側端５８を示す垂直補助線Ｌ７との距離（すなわち、左大腿骨頭６０の横径）に対する左臼蓋縁外側端５７を示す垂直補助線Ｌ６と左大腿骨頭内側端５８を示す垂直補助線Ｌ７との距離の割合（％）を左ＡＨＩとして計測する。
【００４７】
制御部４１は、描画された各垂直補助線のうちいずれか一の垂直補助線が移動された場合に、移動後の各垂直補助線の画像座標系における位置情報に基づいて、基準補助線Ｌ１に沿う方向で各垂直補助線の順序付けを行う。そして、制御部４１は、各垂直補助線の基準補助線Ｌ１に沿う方向における順序に基づいて、各垂直補助線が右大腿骨頭外側端５３、右臼蓋縁外側端５４、右大腿骨頭内側端５５、左大腿骨頭内側端５８、左臼蓋縁外側端５７、左大腿骨頭外側端５６のいずれを示すものかを対応付け、右大腿骨頭外側端５３を示す垂直補助線Ｌ２と右大腿骨頭内側端５５を示す垂直補助線Ｌ４との距離に対する右臼蓋縁外側端５４を示す垂直補助線Ｌ３と右大腿骨頭内側端５５を示す垂直補助線Ｌ４との距離の割合を右ＡＨＩとして再計測し、左大腿骨頭外側端５６を示す垂直補助線Ｌ５と左大腿骨頭内側端５８を示す垂直補助線Ｌ７との距離に対する左臼蓋縁外側端５７を示す垂直補助線Ｌ６と左大腿骨頭内側端５８を示す垂直補助線Ｌ７との距離の割合を左ＡＨＩとして再計測する。
【００４８】
次に、動作を説明する。
図５は、画像サーバ装置３０において実行される処理を示すフローチャートである。この処理は、画像計測装置４０に対して計測対象となる医用画像を提供する処理であって、制御部３１のＣＰＵと、ＲＯＭ３５に記憶されているプログラムとの協働によるソフトウェア処理によって実現される。
【００４９】
まず、通信部３４により、画像計測装置４０から画像ファイルの取得要求が受信された場合には（ステップＳ１；ＹＥＳ）、制御部３１により、要求された画像ファイルが記憶部３６から読み出され、通信部３４を介して画像計測装置４０に送信される（ステップＳ２）。
【００５０】
次に、通信部３４により、画像計測装置４０から計測結果が受信された場合には（ステップＳ３；ＹＥＳ）、制御部３１により、受信した計測結果が、計測対象の画像ファイルと対応付けられて記憶部３６に保存される（ステップＳ４）。
以上で、画像サーバ装置３０における処理が終了する。
【００５１】
図６及び図７は、画像計測装置４０において実行される処理を示すフローチャートである。この処理は、制御部４１のＣＰＵと、ＲＯＭ４５に記憶されているプログラムとの協働によるソフトウェア処理によって実現される。
【００５２】
図６に示すように、まず、操作部４２からの操作により、計測対象となる股関節画像の画像ファイルが選択され、制御部４１の制御に従って、通信部４４により、画像サーバ装置３０に対して、選択された股関節画像の画像ファイルの取得要求が送信される。そして、制御部４１により、通信部４４を介して、画像サーバ装置３０から股関節画像の画像ファイルが取得される（ステップＳ１１）。
【００５３】
次に、制御部４１により、取得された股関節画像の画像ファイルに基づいて、表示部４３のモニタ画面４３Ｐに股関節画像が表示される（ステップＳ１２）。
【００５４】
次に、制御部４１により、操作部４２のマウスの位置に対応する表示部４３のモニタ画面４３Ｐ上の座標を（Ｘｍ，Ｙｍ）とする割り当て処理が行われる（ステップＳ１３）。
【００５５】
次に、図８（ａ）に示すように、右涙痕下端５１と左涙痕下端５２とを通る基準補助線Ｌ１の始点となる位置にマウスカーソルＭＣが置かれた状態でユーザにより操作部４２のマウスボタンが押下され、基準補助線Ｌ１の始点位置が指定されると、制御部４１により、マウスボタンが押下された位置のマウス座標（Ｘｍ，Ｙｍ）が取得され、１点目の座標（Ｘ１，Ｙ１）がＸ１＝Ｘｍ、Ｙ１＝Ｙｍと決定される（ステップＳ１４）。なお、図８（ａ）には股関節画像を破線で示したが、以下の図では省略する。
【００５６】
次に、図８（ｂ）に示すように、基準補助線Ｌ１の終点となる位置にマウスカーソルＭＣが置かれた状態でユーザにより操作部４２のマウスボタンが押下され、基準補助線Ｌ１の終点位置が指定されると、制御部４１により、マウスボタンが押下された位置のマウス座標（Ｘｍ，Ｙｍ）が取得され、２点目の座標（Ｘ２，Ｙ２）がＸ２＝Ｘｍ、Ｙ２＝Ｙｍと決定される（ステップＳ１５）。
【００５７】
次に、制御部４１により、表示部４３のモニタ画面４３Ｐに表示されている股関節画像上に、１点目の座標（Ｘ１，Ｙ１）を画像座標系に変換した座標と、２点目の座標（Ｘ２，Ｙ２）を画像座標系に変換した座標とを結ぶ基準補助線Ｌ１が描画される（ステップＳ１６）。
【００５８】
ここで、制御部４１により、２点目のＸ座標Ｘ２が１点目のＸ座標Ｘ１より大きいか否かが判断される（ステップＳ１７）。Ｘ２がＸ１以下の場合には（ステップＳ１７；ＮＯ）、制御部４１により、１点目の座標（Ｘ１，Ｙ１）と２点目の座標（Ｘ２，Ｙ２）が交換される（ステップＳ１８）。すなわち、これ以降の処理においては、基準補助線Ｌ１の両端点のうち、Ｘ座標が小さい方の端点（モニタ画面４３Ｐ上の基準補助線Ｌ１の左側端点、すなわち、人体の右側に相当する端点）の座標を１点目の座標（Ｘ１，Ｙ１）、Ｘ座標が大きい方の端点（モニタ画面４３Ｐ上の基準補助線Ｌ１の右側端点、すなわち、人体の左側に相当する端点）の座標を２点目の座標（Ｘ２，Ｙ２）として扱う。
【００５９】
ステップＳ１７においてＸ２がＸ１より大きい場合（ステップＳ１７；ＹＥＳ）、又は、ステップＳ１８の後、図８（ｃ）に示すように、いずれかの垂直補助線Ｖ１の上端となる位置にマウスカーソルＭＣが置かれた状態でユーザにより操作部４２のマウスボタンが押下され、垂直補助線Ｖ１の上端位置が指定されると、制御部４１により、マウスボタンが押下された位置のマウス座標（Ｘｍ，Ｙｍ）が取得され、３点目の座標（Ｘ３，Ｙ３）がＸ３＝Ｘｍ、Ｙ３＝Ｙｍと決定される（ステップＳ１９）。
【００６０】
そして、制御部４１により、図８（ｄ）に示すように、表示部４３のモニタ画面４３Ｐに表示されている股関節画像上に、３点目の座標（Ｘ３，Ｙ３）を画像座標系に変換した座標を一端（上端）とする、基準補助線Ｌ１に垂直な垂直補助線Ｖ１が描画される（ステップＳ２０）。図８（ｄ）は、右大腿骨頭外側端５３を通り基準補助線Ｌ１に垂直な垂直補助線Ｌ２が描画された場合の例である。
【００６１】
次に、図８（ｄ）に示すように、いずれかの垂直補助線Ｖ２の上端となる位置にマウスカーソルＭＣが置かれた状態でユーザにより操作部４２のマウスボタンが押下され、垂直補助線Ｖ２の上端位置が指定されると、制御部４１により、マウスボタンが押下された位置のマウス座標（Ｘｍ，Ｙｍ）が取得され、４点目の座標（Ｘ４，Ｙ４）がＸ４＝Ｘｍ、Ｙ４＝Ｙｍと決定される（ステップＳ２１）。
【００６２】
そして、制御部４１により、図８（ｅ）に示すように、表示部４３のモニタ画面４３Ｐに表示されている股関節画像上に、４点目の座標（Ｘ４，Ｙ４）を画像座標系に変換した座標を一端（上端）とする、基準補助線Ｌ１に垂直な垂直補助線Ｖ２が描画される（ステップＳ２２）。図８（ｅ）は、右臼蓋縁外側端５４を通り基準補助線Ｌ１に垂直な垂直補助線Ｌ３が描画された場合の例である。
【００６３】
次に、図８（ｅ）に示すように、いずれかの垂直補助線Ｖ３の上端となる位置にマウスカーソルＭＣが置かれた状態でユーザにより操作部４２のマウスボタンが押下され、垂直補助線Ｖ３の上端位置が指定されると、制御部４１により、マウスボタンが押下された位置のマウス座標（Ｘｍ，Ｙｍ）が取得され、５点目の座標（Ｘ５，Ｙ５）がＸ５＝Ｘｍ、Ｙ５＝Ｙｍと決定される（ステップＳ２３）。
【００６４】
そして、制御部４１により、図８（ｆ）に示すように、表示部４３のモニタ画面４３Ｐに表示されている股関節画像上に、５点目の座標（Ｘ５，Ｙ５）を画像座標系に変換した座標を一端（上端）とする、基準補助線Ｌ１に垂直な垂直補助線Ｖ３が描画される（ステップＳ２４）。図８（ｆ）は、右大腿骨頭内側端５５を通り基準補助線Ｌ１に垂直な垂直補助線Ｌ４が描画された場合の例である。
【００６５】
次に、図８（ｆ）に示すように、いずれかの垂直補助線Ｖ４の上端となる位置にマウスカーソルＭＣが置かれた状態でユーザにより操作部４２のマウスボタンが押下され、垂直補助線Ｖ４の上端位置が指定されると、制御部４１により、マウスボタンが押下された位置のマウス座標（Ｘｍ，Ｙｍ）が取得され、６点目の座標（Ｘ６，Ｙ６）がＸ６＝Ｘｍ、Ｙ６＝Ｙｍと決定される（ステップＳ２５）。
【００６６】
そして、制御部４１により、図９（ａ）に示すように、表示部４３のモニタ画面４３Ｐに表示されている股関節画像上に、６点目の座標（Ｘ６，Ｙ６）を画像座標系に変換した座標を一端（上端）とする、基準補助線Ｌ１に垂直な垂直補助線Ｖ４が描画される（ステップＳ２６）。図９（ａ）は、左大腿骨頭外側端５６を通り基準補助線Ｌ１に垂直な垂直補助線Ｌ５が描画された場合の例である。
【００６７】
次に、図９（ａ）に示すように、いずれかの垂直補助線Ｖ５の上端となる位置にマウスカーソルＭＣが置かれた状態でユーザにより操作部４２のマウスボタンが押下され、垂直補助線Ｖ５の上端位置が指定されると、制御部４１により、マウスボタンが押下された位置のマウス座標（Ｘｍ，Ｙｍ）が取得され、７点目の座標（Ｘ７，Ｙ７）がＸ７＝Ｘｍ、Ｙ７＝Ｙｍと決定される（ステップＳ２７）。
【００６８】
そして、制御部４１により、図９（ｂ）に示すように、表示部４３のモニタ画面４３Ｐに表示されている股関節画像上に、７点目の座標（Ｘ７，Ｙ７）を画像座標系に変換した座標を一端（上端）とする、基準補助線Ｌ１に垂直な垂直補助線Ｖ５が描画される（ステップＳ２８）。図９（ｂ）は、左臼蓋縁外側端５７を通り基準補助線Ｌ１に垂直な垂直補助線Ｌ６が描画された場合の例である。
【００６９】
次に、図９（ｂ）に示すように、いずれかの垂直補助線Ｖ６の上端となる位置にマウスカーソルＭＣが置かれた状態でユーザにより操作部４２のマウスボタンが押下され、垂直補助線Ｖ６の上端位置が指定されると、制御部４１により、マウスボタンが押下された位置のマウス座標（Ｘｍ，Ｙｍ）が取得され、８点目の座標（Ｘ８，Ｙ８）がＸ８＝Ｘｍ、Ｙ８＝Ｙｍと決定される（ステップＳ２９）。
【００７０】
そして、制御部４１により、図９（ｃ）に示すように、表示部４３のモニタ画面４３Ｐに表示されている股関節画像上に、８点目の座標（Ｘ８，Ｙ８）を画像座標系に変換した座標を一端（上端）とする、基準補助線Ｌ１に垂直な垂直補助線Ｖ６が描画される（ステップＳ３０）。図９（ｃ）は、左大腿骨頭内側端５８を通り基準補助線Ｌ１に垂直な垂直補助線Ｌ７が描画された場合の例である。
【００７１】
次に、図７に移り、制御部４１により、図１０に示すように、１点目のモニタ座標（Ｘ１，Ｙ１）を画像座標系に変換した座標（基準補助線Ｌ１の人体の右側に相当する端点）を通り、基準補助線Ｌ１に垂直な直線Ｌの式（ａｘ＋ｂｙ＋ｃ＝０）が取得される（ステップＳ３１）。直線Ｌの式は画像座標系で表されている。なお、図１０に示す垂直補助線Ｖ１〜Ｖ６は一例であり、実際の描画順は任意である。
【００７２】
次に、制御部４１により、画像座標系における各垂直補助線Ｖ１〜Ｖ６の基準補助線Ｌ１上の各点の座標（３点目〜８点目からそれぞれ基準補助線Ｌ１に下ろした垂線の足の座標）が取得される（ステップＳ３２）。
【００７３】
次に、制御部４１により、取得された各座標に基づいて、直線Ｌからの距離が小さい順に各垂直補助線Ｖ１〜Ｖ６の順序付けが行われ、直線Ｌからの距離が小さい順に右大腿骨頭外側端５３、右臼蓋縁外側端５４、右大腿骨頭内側端５５、左大腿骨頭内側端５８、左臼蓋縁外側端５７、左大腿骨頭外側端５６を示す垂直補助線であると対応付けられる（ステップＳ３３）。
【００７４】
次に、制御部４１により、対応付けられた結果に基づいて、右大腿骨頭外側端５３を示す垂直補助線Ｌ２と右大腿骨頭内側端５５を示す垂直補助線Ｌ４との距離（すなわち、右大腿骨頭５９の横径）に対する右臼蓋縁外側端５４を示す垂直補助線Ｌ３と右大腿骨頭内側端５５を示す垂直補助線Ｌ４との距離の割合（％）が右ＡＨＩとして計測され（ステップＳ３４）、左大腿骨頭外側端５６を示す垂直補助線Ｌ５と左大腿骨頭内側端５８を示す垂直補助線Ｌ７との距離（すなわち、左大腿骨頭６０の横径）に対する左臼蓋縁外側端５７を示す垂直補助線Ｌ６と左大腿骨頭内側端５８を示す垂直補助線Ｌ７との距離の割合（％）が左ＡＨＩとして計測される（ステップＳ３５）。
【００７５】
次に、制御部４１により、表示部４３のモニタ画面４３Ｐに計測結果が表示される（ステップＳ３６）。図９（ｃ）の例では、ＡＨＩの計測に用いる各補助線とともに、右ＡＨＩ及び左ＡＨＩの値が「右ＡＨＩ62.3％  左ＡＨＩ64.5％」と表示されている。
【００７６】
ここで、制御部４１により、操作部４２からの操作に基づいて、表示部４３のモニタ画面４３Ｐに表示されている股関節画像上の各垂直補助線のうちいずれか一の垂直補助線が移動されたか否かが判断される（ステップＳ３７）。具体的には、移動すべき垂直補助線上にマウスカーソルが置かれた状態でユーザにより操作部４２のマウスボタンが押下され（垂直補助線の選択）、押下したまま移動先の位置でマウスボタンが離されると（移動後の垂直補助線の位置決定）、垂直補助線が移動される。
【００７７】
操作部４２からの操作により、各垂直補助線のうちいずれか一の垂直補助線が移動された場合には（ステップＳ３７；ＹＥＳ）、制御部４１により、ステップＳ３２〜ステップＳ３６の処理が繰り返される。すなわち、制御部４１により、画像座標系における各垂直補助線の基準補助線Ｌ１上の各点の座標が新たに取得され（ステップＳ３２）、取得された各座標に基づいて、直線Ｌからの距離が小さい順に右大腿骨頭外側端５３、右臼蓋縁外側端５４、右大腿骨頭内側端５５、左大腿骨頭内側端５８、左臼蓋縁外側端５７、左大腿骨頭外側端５６を示す垂直補助線であると対応付けられる（ステップＳ３３）。
【００７８】
そして、制御部４１により、対応付けられた結果に基づいて、右大腿骨頭外側端５３を示す垂直補助線Ｌ２と右大腿骨頭内側端５５を示す垂直補助線Ｌ４との距離に対する右臼蓋縁外側端５４を示す垂直補助線Ｌ３と右大腿骨頭内側端５５を示す垂直補助線Ｌ４との距離の割合（％）が右ＡＨＩとして再計測され（ステップＳ３４）、左大腿骨頭外側端５６を示す垂直補助線Ｌ５と左大腿骨頭内側端５８を示す垂直補助線Ｌ７との距離に対する左臼蓋縁外側端５７を示す垂直補助線Ｌ６と左大腿骨頭内側端５８を示す垂直補助線Ｌ７との距離の割合（％）が左ＡＨＩとして再計測される（ステップＳ３５）。次に、制御部４１により、表示部４３のモニタ画面４３Ｐに再計測された結果が表示される（ステップＳ３６）。
【００７９】
ステップＳ３７において、表示部４３のモニタ画面４３Ｐに表示されている股関節画像上の各垂直補助線のうちいずれか一の垂直補助線の移動がない場合には（ステップＳ３７；ＮＯ）、制御部４１により、計測結果を保存するか否かが判断される（ステップＳ３８）。例えば、操作部４２からの操作により、表示部４３のモニタ画面４３Ｐ上で保存ボタンが選択された場合には、計測結果が保存される。
【００８０】
計測結果を保存する場合には（ステップＳ３８；ＹＥＳ）、制御部４１により、描画された各補助線の始点及び終点を示す座標の値（画像座標系）とともに、計測結果（右ＡＨＩ及び左ＡＨＩの値）が画像サーバ装置３０に送信される（ステップＳ３９）。計測結果を保存しない場合には（ステップＳ３８；ＮＯ）、そのまま処理が終了する。
以上で、画像計測装置４０における処理が終了する。
【００８１】
以上説明したように、画像計測装置４０によれば、描画された各垂直補助線Ｖ１〜Ｖ６の基準補助線Ｌ１に沿う方向における順序に基づいて、各垂直補助線Ｖ１〜Ｖ６が右大腿骨頭外側端５３、右臼蓋縁外側端５４、右大腿骨頭内側端５５、左大腿骨頭内側端５８、左臼蓋縁外側端５７、左大腿骨頭外側端５６のいずれを示すものかを対応付け、ＡＨＩを計測するので、各垂直補助線を描画する際にユーザが描画順を気にする必要がなく、任意の順序で各垂直補助線の描画位置を指定することができる。したがって、股関節画像のＡＨＩの計測における操作性を向上させるとともに、誤診を防止することができる。
【００８２】
また、描画された各垂直補助線のうちいずれか一の垂直補助線が移動された場合に、各垂直補助線と部位の対応付けをし直し、ＡＨＩを再計測することができる。
【００８３】
なお、上記実施の形態における記述は、本発明に係る医用画像システムの一例であり、これに限定されるものではない。システムを構成する各装置の細部構成及び細部動作に関しても適宜変更可能である。
【００８４】
例えば、上記実施の形態では、垂直補助線の移動があった場合に、必ずＡＨＩを再計測することとしたが、基準補助線Ｌ１に沿う方向における各垂直補助線の位置関係が変更された場合（一の垂直補助線が他の垂直補助線を越えた場合）にのみ、ＡＨＩを再計測することとしてもよい。
【００８５】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【図面の簡単な説明】
【００８６】
【図１】本発明の実施の形態における医用画像システムのシステム構成図である。
【図２】画像サーバ装置の機能的構成を示すブロック図である。
【図３】画像計測装置の機能的構成を示すブロック図である。
【図４】モニタ画面における座標の取り方を示す図である。
【図５】画像サーバ装置において実行される処理を示すフローチャートである。
【図６】画像計測装置において実行される処理を示すフローチャートである。
【図７】画像計測装置において実行される処理を示すフローチャートである。
【図８】（ａ）は、基準補助線の始点を指定する際の画面例である。（ｂ）は、基準補助線の終点を指定する際の画面例である。（ｃ）は、垂直補助線の上端を指定する際の画面例である。（ｄ）は、右大腿骨頭外側端を示す垂直補助線が描画された場合の画面例である。（ｅ）は、右臼蓋縁外側端を示す垂直補助線が描画された場合の画面例である。（ｆ）は、右大腿骨頭内側端を示す垂直補助線が描画された場合の画面例である。
【図９】（ａ）は、左大腿骨頭外側端を示す垂直補助線が描画された場合の画面例である。（ｂ）は、左臼蓋縁外側端を示す垂直補助線が描画された場合の画面例である。（ｃ）は、左大腿骨頭内側端を示す垂直補助線が描画された場合の画面例である。
【図１０】基準補助線の人体の右側に相当する端点を通り基準補助線に垂直な直線を説明するための図である。
【図１１】ＡＨＩを説明するための図である。
【図１２】従来における問題点を説明するための図である。
【符号の説明】
【００８７】
１０  ＲＩＳ
２０  モダリティ
３０  画像サーバ装置
３１  制御部
３２  操作部
３３  表示部
３４  通信部
３５  ＲＯＭ
３６  記憶部
３７  バス
４０  画像計測装置
４１  制御部
４２  操作部
４３  表示部
４４  通信部
４５  ＲＯＭ
４６  記憶部
４７  バス
５１  右涙痕下端
５２  左涙痕下端
５３  右大腿骨頭外側端
５４  右臼蓋縁外側端
５５  右大腿骨頭内側端
５６  左大腿骨頭外側端
５７  左臼蓋縁外側端
５８  左大腿骨頭内側端
５９  右大腿骨頭
６０  左大腿骨頭
１００  医用画像システム
Ｎ  ネットワーク
ＭＣ  マウスカーソル
【図１】
2009219766.tif 000003
【図２】
2009219766.tif 000004
【図３】
2009219766.tif 000005
【図４】
2009219766.tif 000006
【図５】
2009219766.tif 000007
【図６】
2009219766.tif 000008
【図７】
2009219766.tif 000009
【図８】
2009219766.tif 000010
【図９】
2009219766.tif 000011
【図１０】
2009219766.tif 000012
【図１１】
2009219766.tif 000013
【図１２】
2009219766.tif 000014